(57)【要約】【課題】本発明は、レンチキュラー部の画像を鮮明化させ易いレーザマーカを提供する。【解決手段】本発明は、傾きに応じて見える図柄を変化させることが可能なレンチキュラー部Ｐ１を有する紙葉類にレーザ光を照射して、レンチキュラー部Ｐ１に画像を形成するレーザマーカ１あって、カードＣ１のレンチキュラー部Ｐ１にレーザ光を照射するレーザ照射装置１Ｂと、レンチキュラー部Ｐ１とレーザ照射装置１Ｂとの間に配置されて、レーザ光を透過させるＮＤフィルタＦと、を備えている。このような構成を採用することで、レンチキュラー部Ｐ１に、顔写真のような濃淡の現れ方で識別性に差がでるような画像を形成する場合に非常に効果的である。【選択図】図４
2014151346.tif 000002
【特許請求の範囲】
【請求項１】
傾きに応じて見える図柄を変化させることが可能なレンチキュラー部を有する紙葉類にレーザ光を照射して、前記レンチキュラー部に画像を形成するレーザマーカであって、
前記紙葉類の前記レンチキュラー部にレーザ光を照射するレーザ照射装置と、
前記レンチキュラー部と前記レーザ照射装置との間に配置されて、前記レーザ光を透過させるＮＤフィルタと、
を備えたことを特徴とするレーザマーカ。
【請求項２】
前記レンチキュラー部と前記レーザ照射装置との間に配置されて、前記レンチキュラー部に対して斜めから前記レーザ光を照射するためのプリズムを更に備え、
前記ＮＤフィルタは、前記プリズムのレーザ光入射側又はレーザ光出射側の表面に配置されていることを特徴とする請求項１記載のレーザマーカ。
【発明の詳細な説明】
【技術分野】
【０００１】
本発明は、レーザ光を照射して紙葉類に印画するレーザマーカに関する。
【背景技術】
【０００２】
傾きに応じて見える図柄が変化するレンチキュラー部を有するカードが従来から存在する。レンチキュラー部は、カードに印画されたレンチキュラー画像と、レンチキュラー画像を覆う透明なシート状のレンチキュラーレンズとで構成されている。レンチキュラー部のレンチキュラー画像は、表面にレンチキュラーレンズが形成されたカードに対し、傾いたレーザ光をレンチキュラーレンズを通して照射することで印画される。特許文献１には、カードを傾けることでレーザ光を照射するレンチキュラー画像の印画方法が開示されている。
【先行技術文献】
【特許文献】
【０００３】
【特許文献１】特開昭６２−１６１５９６号公報
【発明の概要】
【発明が解決しようとする課題】
【０００４】
上述したレンチキュラー画像の印画方法を採用する場合、レンチキュラー画像を印画する際にカード等の紙葉類を傾けた状態で、レンチキュラー部にレーザ光が直接照射されている。紙葉類において、レンチキュラー部にレーザ光が直接照射されて形成された画像は、レンチキュラー部が設けられていない箇所にレーザ光を照射して形成された画像に対して、非常に濃くすなわち黒くなり、画像の明暗のトーンが不鮮明になる。これは、レンチキュラー部に照射されるレーザ光とレンチキュラー部でない箇所に照射されるレーザ光とが同じ出力で行われることに起因している。
そこで、レンチキュラー部に形成される画像を鮮明にするためには、レンチキュラー部に照射するレーザ出力を極端に押さえて低パワーで画像を形成する必要がある。しかしながら、レーザの特性上、低出力領域はレーザパワーが不安定になり易く、その結果、レンチキュラー部で形成される画像が、鮮明になったり不鮮明になったりして、安定しないといった問題が発生する。
【０００５】
本発明は、レンチキュラー部の画像を鮮明化させ易いレーザマーカを提供することを目的とする。
【課題を解決するための手段】
【０００６】
本発明は、傾きに応じて見える図柄を変化させることが可能なレンチキュラー部を有する紙葉類にレーザ光を照射して、レンチキュラー部に画像を形成するレーザマーカであって、
紙葉類のレンチキュラー部にレーザ光を照射するレーザ照射装置と、
レンチキュラー部とレーザ照射装置との間に配置されて、レーザ光を透過させるＮＤフィルタと、を備えたことを特徴とする。
【０００７】
このレーザマーカにおいて、レンチキュラー部で画像を形成するにあたって、レーザ光の出力をＮＤフィルタにより減衰させることができるので、レーザの特性上、レーザパワーが不安定になり易い低出力領域ではなく、出力が安定して画像を鮮明化させ易い高出力領域の利用を図ることができる。さらに、レンチキュラー部でない箇所であっても、高出力領域が利用されることが好ましい。従って、同じレーザ出力で、レンチキュラー部とレンチキュラー部でない箇所とに画像を形成することができるので、レンチキュラー部とレンチキュラー部でない箇所とでレーザ出力をその都度変更する必要がなく、印画の高速化を図ることができる。そして、レンチキュラー部に、顔写真のような濃淡の現れ方で識別性に差がでるような画像を形成する場合に非常に効果的である。
【０００８】
また、レンチキュラー部とレーザ照射装置との間に配置されて、レンチキュラー部に対して斜めからレーザ光を照射するためのプリズムを更に備え、ＮＤフィルタは、プリズムのレーザ光入射側又はレーザ光出射側の表面に配置されている。
このような構成を採用すると、レンチキュラー部で画像を形成時に紙葉類を傾けるような動作を必要としないので、安定した画像形成が可能となる。
【発明の効果】
【０００９】
本発明によれば、レンチキュラー部の画像を鮮明化させ易い。
【図面の簡単な説明】
【００１０】
【図１】本発明に係るレーザマーカの第１実施形態を示す斜視図である。
【図２】図１中の搬送装置を示す斜視図である。
【図３】図２中の回動部材が挟持位置にある状態を示す斜視図である。
【図４】図３中の第１のプリズム部を用いてレンチキュラー部にレンチキュラー画像を印画している状態を示す斜視図である。
【図５】図４中のレンチキュラー部を第２のプリズム部の位置まで移動させた状態を示す斜視図である。
【図６】図５中の第２のプリズム部を用いてレンチキュラー部にレンチキュラー画像を印画している状態を示す斜視図である。
【発明を実施するための形態】
【００１１】
以下、図面を参照しつつ本発明に係るレーザマーカの好適な実施形態について詳細に説明する。
【００１２】
図１〜図６に示されるレーザマーカ１は、紙葉類の一例をなす樹脂製カードＣ１にレンチキュラー画像と通常画像とを印画するものである。レンチキュラー画像は、カードＣ１に設けられたレンチキュラー部Ｐ１に形成される。レンチキュラー部Ｐ１は、カードＣ１の表面に透明なシート状のレンチキュラーレンズが形成された部分であり、レンチキュラー画像はレンチキュラーレンズの下に形成される。そして、レンチキュラー部Ｐ１では、カードＣ１の傾きに応じて見える図柄が変化する。レーザマーカ１は、下方に向けられたヘッド部１ａからレーザ光を照射させるためのレーザ照射装置１Ｂと、上部に配置されたレーザ照射装置１Ｂを収容するためのハウジング１Ａとを備えている。レーザ照射装置１Ｂは、スキャンミラーを移動させることで、レーザ光の照射ポイントを水平方向に自在に移動させることができる。ハウジング１Ａ内において、レーザ照射装置１Ｂの下方には、レーザ照射装置１Ｂから照射されたレーザ光により印画を行うためにカードＣ１を搬送する搬送装置２が設置されている。
【００１３】
図２〜図４に示されるように、搬送装置２は、略水平に配置されたカードＣ１を支持するベース部３と、ベース部３の上部に回動自在に連結された回動部材（可動部材）４とを備えている。回動部材４は、ベース部３と協働してカードＣ１を挟持する挟持位置Ａ１と、レーザ光の光路外の退避位置Ａ２との間を回動する。
【００１４】
ベース部３は、ハウジング１Ａ内において水平に配置される長方形のベース板３ａと、ベース板３ａの各長辺から鉛直に起立する側板３ｂ，３ｃとを有している。ベース板３ａの一方の短辺側には、側板３ｂ，３ｃに直交する鉛直なカバー板３ｄが設けられている。カバー板３ｄには、カード取り込み口３０（図１参照）が形成されている。カード取り込み口３０には、カードＣ１が略水平に挿入される。以下の説明において、「前後左右」とは、カードＣ１の挿入方向を前方とした場合の「前後左右」を意味するものとする。
【００１５】
カード取り込み口３０の内側の下方には、左右方向に延在した回動軸８Ａが設けられている。回動軸８Ａは側板３ｂ，３ｃに設けられた軸受孔に通されており、側板３ｂの外側で、タイミングベルトによりモータＭ１に連結されている。回動軸８Ａには、駆動ローラ７Ａが設けられている。駆動ローラ７Ａは、カード取り込み口３０の下面に接する。駆動ローラ７Ａの上方には、回動軸８Ａに略平行な軸線を中心に回動自在であるピンチローラ１０Ａが設けられている。
【００１６】
ピンチローラ１０Ａは、駆動ローラ７Ａに向かって板バネ等により付勢されている。カード取り込み口３０に挿入されたカードＣ１は、ピンチローラ１０Ａによって駆動ローラ７Ａに押し付けられる。この状態で、モータＭ１により回動軸８Ａを介して駆動ローラ７Ａを回動させると、カードＣ１は駆動ローラ７Ａの回動に応じて前後方向に移動し、これに追従してピンチローラ１０Ａが回動する。このように、駆動ローラ７Ａとピンチローラ１０Ａとの協働により、カードＣ１が前後方向に搬送される。
【００１７】
駆動ローラ７Ａの前方には、前後方向に延在する一対のガイド部材５，６が設けられている。ガイド部材５，６は、それぞれ側板３ｂ，３ｃの上縁に取り付けられている。ガイド部材５は、カードＣ１の右側を支持する支持板５ａと、支持板５ａから上方に突出し、カードＣ１の右側に沿うガイド壁５ｂとを有している。ガイド部材６は、カードＣ１の左側を支持する支持板６ａと、支持板６ａから上方に突出し、カードＣ１の左側に沿うガイド壁６ｂとを有しており、バネによってガイド部材５側に付勢されている。これにより、ガイド壁５ｂとガイド壁６ｂによってカードＣ１を隙間なく挟持することができ、カードＣ１の左右方向の位置を高精度に定めることができる。そして、ガイド部材５とガイド部材６の協働により、カードＣ１は前後方向に沿って案内される。
【００１８】
ガイド部材５，６の下方には、回動軸８Ａに対し平行となるように延在した回動軸８Ｂが設けられている。回動軸８Ｂは、側板３ｂ，３ｃに設けられた軸受孔に通されており、側板３ｃの外側で、タイミングベルト２４により回動軸８Ａに連結されている。回動軸８Ｂには、駆動ローラ７Ｂが設けられている。駆動ローラ７Ｂはガイド部材５寄りに配置され、カードＣ１の下面に接する。
【００１９】
ガイド部材５，６の後方には、回動軸８Ａ，８Ｂに対し平行となるように延在した回動軸９が設けられている。回動軸９は、側板３ｂ，３ｃに設けられた軸受孔に通されている。上述した回動部材４は回動軸９に固定されている。回動部材４は、一端部が回動軸９に固定され、回動軸９に対し垂直な方向に延在する一対のフレーム４ａ，４ｂを有している。一対のフレーム４ａ，４ｂは互いに平行であり、フレーム４ａ，４ｂの他端部同士は連結軸４ｃにより連結されている。回動部材４が上述した挟持位置Ａ１にあるときに、フレーム４ａ，４ｂは、それぞれガイド部材５，６に対向する。
【００２０】
回動軸９は、側板３ｂの外側で、タイミングベルトによりモータＭ２に連結されている。モータＭ２によって、左から見て時計回りに回動軸９を回動させると、回動部材４はガイド部材５，６から上方に遠ざかるように回動し、挟持位置Ａ１から退避位置Ａ２に至る。左から見て反時計回りに回動軸９を回動させると、回動部材４はガイド部材５，６に上方から近づくように回動し、退避位置Ａ２から挟持位置Ａ１に至る。
【００２１】
側板３ｃの外側には、回動軸９の回動状態を検知するセンサ２５が設けられている。センサ２５は、回動軸９の端部に固定された回転板２６と、側板３ｃに固定されたフォトセンサ２７，２８とを有している。フォトセンサ２７，２８のそれぞれは、一対の投光素子と受光素子を有し、投光素子からの光が受光素子に到達しているかどうかにより、投受光素子間に回転板２６が位置しているかどうかを検知する。回転板２６及びフォトセンサ２７，２８は、回動部材４が挟持位置Ａ１から退避位置Ａ２に至ったときにフォトセンサ２７，２８の両方で投受光素子間が遮光され、回動部材４が退避位置Ａ２から挟持位置Ａ１に至ったときにフォトセンサ２７，２８の両方で投受光素子間が遮光されなくなるように配置されている。
【００２２】
回動部材４のうち駆動ローラ７Ｂに対応する位置には、ピンチローラ１０Ｂが設けられている。ピンチローラ１０Ｂは、駆動ローラ７Ｂの回動軸８Ｂの軸心Ｌ１と回動部材４の回動軸９の軸心Ｌ２とに略平行な軸心Ｌ３を中心に回動自在であり、板バネ２３を介してフレーム４ａにねじ止め固定されている。駆動ローラ７Ｂがガイド部材５寄りに配置されていることから、ピンチローラ１０Ｂはフレーム４ａ寄りに配置されている。これにより、後述するプリズム１１の配置スペースがフレーム４ｂ側に十分に確保されている。
【００２３】
回動部材４が挟持位置Ａ１に位置するときに、ピンチローラ１０Ｂは板バネ２３により駆動ローラ７Ｂに向かって付勢される。このため、駆動ローラ７Ｂ上に配置されたカードＣ１は、ピンチローラ１０Ａによって駆動ローラ７Ａに押し付けられる。この状態で回動軸８Ｂを介して駆動ローラ７Ｂを回動させると、カードＣ１は駆動ローラ７Ｂの回動に応じ、ガイド部材５，６に沿って移動し、これに追従してピンチローラ１０Ｂが回動する。このように、ピンチローラ１０Ｂは、駆動ローラ７Ｂと協働し、カードＣ１をガイド部材５，６に沿って搬送する。これにより、印画時には、ガイド部材５，６上におけるカードＣ１の位置が調整され、印画後には、ガイド部材５，６の前方にカードＣ１が搬出される。
【００２４】
フレーム４ａとフレーム４ｂの間には、プリズム１１が配置されている。このプリズム１１のレーザ光入射側の表面には、色彩に影響を与えることなく光量を低下させるＮＤ（NeutralDensity）フィルタＦが配置されている。このＮＤフィルタＦは、接着剤によりプリズム１１の表面に固定されているのではなく、ＮＤフィルタＦの周囲を囲んでＮＤフィルタＦを保持するためのフレーム（不図示）が、プリズム１１の側面１２ｄ，１３ｄにネジ止めされることで、プリズム１１の表面に載置させられている。接着剤を利用しないのは、接着剤自体がもっている屈折率の影響を回避させるためである。ＮＤフィルタＦの適切な光量減衰率は、４０％〜６０％が適切である。
【００２５】
フレーム４ｂに固定されたプリズム１１は、前後方向、すなわちピンチローラ１０ＢによるカードＣ１の搬送方向Ｌ４に沿って並置された第１の直角プリズム（第１のプリズム部）１２と第２の直角プリズム（第２のプリズム部）１３からなる。後側に配置された第１の直角プリズム１２は、互いに直交する直交面１２ｂ，１２ｃと、直交面１２ｂ，１２ｃに斜交する斜面１２ａと、一対の側面１２ｄ，１２ｄとを有している。直角プリズム１２は、回動部材４が挟持位置Ａ１にあるときに、一方の直交面１２ｂが水平となって上方に対面し、他方の直交面１２ｃが前方に対面し、斜面１２ａが下方及び後方に対面するように配置されている。前側に配置された第２の直角プリズム１３は、互いに直交する直交面１３ｂ，１３ｃと、直交面１３ｂ，１３ｃに斜交する斜面１３ａと、一対の側面１３ｄ，１３ｄとを有している。直角プリズム１３は、回動部材４が挟持位置Ａ１にあるときに、一方の直交面１３ｂが水平となって上方に対面し、他方の直交面１３ｃが後方に対面し、斜面１３ａが下方及び前方に対面するように配置されている。直角プリズム１２，１３は、直交面１２ｃ，１３ｃ同士が密着するように配置されている。また、直交面１２ｂ，１３ｂすなわちプリズム部１２，１３のレーザ光入射側の表面には、第１及び第２のＮＤフィルタＦ１，Ｆ２が配置されている。そして、各ＮＤフィルタＦ１，Ｆ２は、プリズム部１２，１３の側面１２ｄ，１３ｄにフレーム（不図示）を介してネジ止めされている。
【００２６】
以上のように構成されたレーザマーカ１を用いた印画方法について説明する。まず、レンチキュラー部Ｐ１が上方に対面し、長辺が前後方向に沿った状態で、カードＣ１をカード取り込み口３０に挿入し、駆動ローラ７Ａ及びピンチローラ１０Ａの協働によりガイド部材５，６上まで搬送する。このとき、回動部材４を挟持位置Ａ１に位置させておく。次に、駆動ローラ７Ｂ及びピンチローラ１０Ｂの協働によりカードＣ１を搬送し、図４に示されるように、カードＣ１のレンチキュラー部Ｐ１を第１の直角プリズム１２の下方に位置させる。そして、レーザ照射装置１Ｂのヘッド部１ａから第１の直角プリズム１２に向かってレーザ光Ｂを照射する。第１のＮＤフィルタＦ１及び第１の直角プリズム１２に入射したレーザ光Ｂは、下方及び後方に対面した斜面１２ａで前方に屈折してレンチキュラー部Ｐ１に到達する。
【００２７】
次に、駆動ローラ７Ｂ及びピンチローラ１０Ｂの協働によりカードＣ１を搬送し、図５に示されるように、レンチキュラー部Ｐ１を第２の直角プリズム１３の下方に位置させる。そして、図６に示されるように、レーザ照射装置１Ｂのヘッド部１ａから第２の直角プリズム１３に向かってレーザ光Ｂを照射する。第２のＮＤフィルタＦ２及び第２の直角プリズム１３に入射したレーザ光Ｂは、下方及び前方に対面した斜面１３ａで後方に屈折してレンチキュラー部Ｐ１に到達する。このように、前方と後方の２方向に屈折したレーザ光Ｂをレンチキュラー部Ｐ１に照射することで、搬送方向Ｌ４に直交する軸線Ｌ７を中心にカードＣ１を傾動させると図柄が変化するレンチキュラー画像が印画される。
【００２８】
次に、駆動ローラ７Ｂ及びピンチローラ１０Ｂの協働によりカードＣ１を搬送し、通常画像の印画用にカードＣ１の位置を調整する。そして、回動軸９を回動させることで退避位置Ａ２まで回動部材４を退避させ、レーザ照射装置１Ｂのヘッド部１ａからカードＣ１の上面に向かって直接レーザ光を照射する。レーザ光はカードＣ１の上面に垂直に入射し、通常画像が印画される。
【００２９】
回動部材４が退避位置Ａ２にある状態で、レンチキュラー部Ｐ１に直接レーザ光を照射してもよい。このようにすると、レンチキュラー部Ｐ１に三方向からレーザ光が照射されることとなり、カードＣ１の傾きに応じて更に多彩に図柄が変化するレンチキュラー画像を印画することができる。
【００３０】
以上説明したレーザマーカ１では、回動部材４が挟持位置Ａ１にあるときに、回動部材４に固定されたプリズム１１により屈折させることでレーザ光を傾けてカードＣ１に照射し、レンチキュラー画像を印画することができる。回動部材４が退避位置Ａ２にあるときには、プリズム１１を透過していないレーザ光をカードＣ１に照射して通常画像を印画することができる。このように、カードＣ１を傾けることなくレンチキュラー画像及び通常画像を印画することができるため、カードＣ１を傾ける機構を設けずにレーザマーカ１を小型化することができる。特に、レーザ光の光路内とレーザ光の光路外との間でプリズム１１を移動させる回動部材４は、挟持位置Ａ１と退避位置Ａ２との間を回動するため、回動部材４を動かす機構を単純化し易く、レーザマーカ１を更に小型化することができる。更に、回動部材４は、プリズム１１をレーザ光の光路外に退避させる際に、ピンチローラ１０Ｂもレーザ光の光路外に退避させており、ピンチローラ１０Ｂに妨げられることなく通常画像を印画することを可能としている。一つの回動部材４をピンチローラ１０Ｂの退避とプリズム１１の退避とに兼用しているため、レーザマーカ１を一層小型化することができる。
【００３１】
また、プリズム１１は、互いに異なる方向にレーザ光を屈折させる複数の直角プリズム１２，１３を有し、複数の直角プリズム１２，１３は、ピンチローラ１０ＢによるカードＣ１の搬送方向Ｌ４に沿って並置されている。これにより、駆動ローラ７Ｂ及びピンチローラ１０Ｂを用いた単純な構造でカードＣ１を一方向に沿って搬送するだけで、カードＣ１を各直角プリズム１２，１３の位置に素早く移動させることができる。このため、各直角プリズム１２，１３を透過して互いに異なる方向に屈折したレーザ光をカードＣ１に照射して、図柄が多彩なレンチキュラー画像を素早く印画することができる。また、カードＣ１の搬送構造を駆動ローラ７Ｂ及びピンチローラ１０Ｂを用いた単純なものとすることができることから、レーザマーカ１を小型化することができる。
【００３２】
また、駆動ローラ７Ｂの軸心Ｌ１及びピンチローラ１０Ｂの軸心Ｌ３は、回動部材４の回動軸９の軸心Ｌ２に対し平行になっている。このため、カードＣ１の厚さのばらつき等により、回動部材４の挟持位置Ａ１が上下にずれたとしても、ピンチローラ１０ＢとカードＣ１との平行度が保たれ、カードＣ１の上面に対しピンチローラ１０Ｂの周面がしっかりと接触する。更に、回動部材４が回動して挟持位置Ａ１に至るときに、ピンチローラ１０ＢとカードＣ１との接触に伴って、カードＣ１の位置がピンチローラ１０Ｂの搬送方向Ｌ４に交差する方向にずれてしまうことが防止される。このため、搬送方向Ｌ４に沿ってカードＣ１を精度よく搬送し、カードＣ１のレンチキュラー部Ｐ１とプリズム１１との位置合わせを高精度に行うことができる。また、プリズム１１を構成する直角プリズム１２，１３が搬送方向Ｌ４に沿って並置されているので、搬送方向Ｌ４に沿ってカードＣ１を精度よく搬送することで、カードＣ１のレンチキュラー部Ｐ１と各直角プリズム１２，１３との位置合わせを高精度に行うことができる。
【００３３】
前述したレーザマーカ１において、レンチキュラー部Ｐ１で画像を形成するにあたって、レーザ光の出力をＮＤフィルタＦ１，Ｆ２により減衰させることができるので、レーザの特性上、レーザパワーが不安定になり易い低出力領域ではなく、出力が安定して画像を鮮明化させ易い高出力領域の利用を図ることができる。さらに、レンチキュラー部Ｐ１でない箇所であっても、高出力領域が利用されることが好ましい。従って、同じレーザ出力で、カードＣ１上のレンチキュラー部Ｐ１とレンチキュラー部Ｐ１でない箇所とに画像を形成することができるので、カードＣ１上のレンチキュラー部Ｐ１とレンチキュラー部Ｐ１でない箇所とでレーザ出力をその都度変更する必要がなく、印画の高速化を図ることができる。
【００３４】
次に、レンチキュラー部Ｐ１で顔写真の画像を形成するにあたってのＮＤフィルタとレーザ光の関係について実験結果に基づいて述べる。
【００３５】
レーザ出射装置１Ｂとして、レーザ出力が１Wのものを利用し、ＮＤフィルタとしては、光量減衰率が４０％のものを利用する。
レーザ出力が７０％でＮＤフィルタＦを採用しない場合、レンチキュラー部Ｐ１に形成される顔写真の画像に関して、レーザ出力は安定領域であるが、顔写真が全体的に黒っぽくなり、顔の濃淡がハッキリせず、顔の識別性が悪い。
レーザ出力が２０％でＮＤフィルタＦを採用しない場合、レンチキュラー部Ｐ１に形成される顔写真の画像に関して、レーザ出力は不安定領域であり、顔写真が全体的に濃淡のムラが出て、やや黒っぽくなり、顔の濃淡がハッキリせず、顔の識別性が悪い。
レーザ出力が７０％でＮＤフィルタＦを採用した場合、レンチキュラー部Ｐ１に形成される顔写真の画像に関して、レーザ出力は安定領域であり、顔の濃淡がハッキリし、顔の識別性が良くなる。
このように、顔写真のような濃淡の現れ方で識別性に差がでるような画像をレンチキュラー部Ｐ１に形成する場合には、レーザ光の出力調整により画像の濃淡を調整するのではなく、ＮＤフィルタＦにより調整することで良好な結果がもたらされることが実験により確かめられた。つまり、レーザ光を単にＮＤフィルタで光量調整をするといった技術の転用ではなく、この実験結果から分かるように、レンチキュラー部Ｐ１に、顔写真のような濃淡の現れ方で識別性に差がでるような画像を形成する場合に顕著な効果があることが見出された。
【００３６】
本発明は、前述した実施形態に限定されず、本発明の要旨を逸脱しない範囲で種々の変形が可能である。
【００３７】
例えば、第１及び第２の直角プリズム１２，１３の斜面１２ａ，１３ａすなわちレーザ光出射側の表面にＮＤフィルタを配置させてもよい。
【００３８】
フレームに固定されたＮＤフィルタＦをレーザ出射装置１ＢとカードＣ１のレンチキュラー部Ｐ１との間に配置させ、レンチキュラー部Ｐ１に画像を形成してもよい。また、プリズム１１を利用しない場合には、フレームに固定されたＮＤフィルタＦをレーザ出射装置１ＢとカードＣ１のレンチキュラー部Ｐ１との間に配置させ、カードＣ１を傾けるように動作させて、レンチキュラー部Ｐ１に画像を形成してもよい。
【符号の説明】
【００３９】
１…レーザマーカ、１１…プリズム、Ｐ１…レンチキュラー部、Ｃ１…カード（紙葉類）、１Ｂ…レーザ照射装置、Ｆ…ＮＤフィルタ。
【図１】
2014151346.tif 000003
【図２】
2014151346.tif 000004
【図３】
2014151346.tif 000005
【図４】
2014151346.tif 000006
【図５】
2014151346.tif 000007
【図６】
2014151346.tif 000008